(57)【要約】【課題】  家庭や美容室等で洗髪や入浴等に利用できる利便性の高い軟水器を提供する。【解決手段】  樹脂室１と、空気を導入する吸気バルブ１８を有する再生室２と、ノズル２２、デフューザ２３、吸引口３１を有する噴射ポンプ２１とを備え、前記噴射ポンプ２１のノズル２２側には洗浄ライン２０を、デフューザ２３側と、前記樹脂室１間には洗浄ラインＡ２０ａを、吸引口３１側と、前記再生室２の下部の間には再生ラインＡ９ａを接続するとともに、前記再生室２の上部には再生ライン９を接続し、前記樹脂室１には原水軟水化ライン５と、軟水ライン１５と、排水ライン１１を接続しさらに、樹脂室１内に水中ヒータ２６を設け、内部の水温を３５℃から５０℃の範囲内で一定となるように温度制御した。【選択図】  図１
2005052749.tif 000002
【特許請求の範囲】
【請求項１】
樹脂室（１）と、空気を導入する吸気バルブ（１８）を有する再生室（２）と、ノズル（２２）、デフューザ（２３）、吸引口（３１）を有する噴射ポンプ（２１）とを備え、前記噴射ポンプ（２１）のノズル（２２）側には洗浄ライン（２０）を、デフューザ（２３）側と前記樹脂室（１）間には洗浄ラインＡ（２０ａ）を、吸引口（３１）側と前記再生室（２）の下部の間には再生ラインＡ（９ａ）を接続するとともに、前記再生室（２）の上部には再生ライン（９）を接続し、前記樹脂室（１）には原水軟水化ライン（５）と、軟水ライン（１５）と、排水ライン（１１）を接続し、さらに、樹脂室（１）内に水中ヒータ（２６）を設け、内部の水温を３５℃から５０℃の範囲内で一定となるように温度制御したことを特徴とする軟水器。
【請求項２】
原水軟水化ライン（５）、再生ライン（９）、洗浄ライン（２０）に原水を供給する最上流点と、軟水ライン（１５）の夫々に６０℃以上の温水の通過を阻止する温水サーモスタット（３０）、（２９）を設けたことを特徴とする請求項１記載の軟水器。
【請求項３】
樹脂室（１）と、再生室（２）と、噴射ポンプ（２１）と、洗浄ライン（２０）と、洗浄ラインＡ（２０ａ）と、再生ライン（９）と、再生ラインＡ（９ａ）と、原水軟化ライン（５）と、軟水ライン（１５）と、排水ライン（１１）の内部の水が凍結しないように加熱する加熱装置（２８）を設けたことを特徴とする請求項１、２記載の軟水器。
【発明の詳細な説明】
【技術分野】
【０００１】
本発明は、イオン交換樹脂等を用いて硬水を軟水化する軟水器に関するものである。
【背景技術】
【０００２】
従来のこの種の軟水器は、図３に示す構成になっていた。すなわち、４１は樹脂筒で、内部には所定量のイオン交換樹脂４３が収納されている。
【０００３】
樹脂筒４１の上方には原水タンク４４と塩水タンク４５が並列に設けられ、原水ライン４７と、塩水ライン４９と、原水流下ライン４２とにより樹脂筒４１と接続されている。
【０００４】
また、樹脂筒４１には軟水ライン５５とドレンライン５４が接続されている。
【０００５】
５３は電磁弁で、各ラインにそれぞれ設けられていて、この電磁弁５３を操作して通水工程、塩水再生工程、水洗工程を制御するようにしている。
【０００６】
つぎに、前記構成の軟水器の作用を説明する。まず、軟水ライン５５に通水する通水工程では、原水タンク４４の原水を原水ライン４７を通して樹脂筒４１に下部から供給して上部出口から軟水ライン５５に供給し、軟水ライン５５に通水する。
【０００７】
つぎに、塩水再生工程では、塩水タンク４５の飽和塩水と原水タンク４４の原水が塩水ライン４９と原水流下ライン４２を介して混合されて所定濃度の塩水になって樹脂筒４１の上部から内部に流下し、ドレンライン５４を介して排出されイオン交換樹脂４３が再生される。
【０００８】
つぎに、水洗工程では、原水流下ライン４２からの原水を樹脂筒４１の上部から内部に流下させ、内部の塩水を水洗しドレンライン５４を介して排出する（例えば、特許文献１参照）。
【０００９】
【特許文献１】特開平１１−１０４６３５号公報
【発明の開示】
【発明が解決しようとする課題】
【００１０】
しかしながら、上記従来の軟水器は、家庭や美容室等で洗髪や入浴に軟水器を利用しようとする場合、必ずしも取り出した軟水の温度が安定した温度で保持されるものではなく、安定した温度の軟水が取り出せる軟水器が望まれていた。
【００１１】
また、軟水器の内部の配管や機器内の水が冬場に凍結すると運転できなくなり不便であった。
【００１２】
そこで、本発明は上記課題を解決し、利便性の高い軟水器を提供することを課題とする。
【課題を解決するための手段】
【００１３】
上記課題を解決するため、本発明の軟水器の請求項１では樹脂室と、空気を導入する吸気バルブを有する再生室と、ノズル、デフューザ、吸引口を有する噴射ポンプとを備え、前記噴射ポンプのノズル側には洗浄ラインを、デフューザ側と前記樹脂室間には洗浄ラインＡを、吸引口側と前記再生室の下部の間には再生ラインＡを接続するとともに、前記再生室の上部には再生ラインを接続し、前記樹脂室には原水軟水化ラインと、軟水ラインと、排水ラインを接続し、さらに、樹脂室内に水中ヒータを設け、内部の水温を３５℃から５０℃の範囲内で一定となるように温度制御したものである。
【００１４】
また、請求項２では原水軟水化ライン、再生ライン、洗浄ラインに原水を供給する最上流点と、軟水ラインの夫々に６０℃以上の温水の通過を阻止する温水サーモスタットを設けたものである。
【００１５】
また、請求項３では樹脂室と、再生室と、噴射ポンプと、洗浄ラインと、洗浄ラインＡと、再生ラインと、再生ラインＡと、原水軟化ラインと、軟水ラインと、排水ラインの内部の水が凍結しないように加熱する加熱装置を設けたものである。
【発明の効果】
【００１６】
本発明の請求項１では、樹脂室内に水中ヒータを設け、内部の水温を３５℃から５０℃の範囲内で一定となるように温度制御したことにより、洗髪や入浴するのに適した適温の温水を放出することができる。
【００１７】
さらに、再生ラインと洗浄ラインとの間にノズルとデフューザと吸引口よりなる噴射ポンプを設け、再生運転時に満水となっている再生室内の塩水を洗浄時のエジェクター効果により排出するように構成したことにより、再生室を樹脂室より低い位置に設置することができ、機器の全高を低くでき、機器全体をコンパクトにすることができるから、軟水を水中ヒータにより効率よく加熱することができる。
【００１８】
また、請求項２では原水軟水化ライン、再生ライン、洗浄ラインに原水を供給する最上流点と、軟水ラインの夫々に６０℃以上の温水の通過を阻止する温水サーモスタットを設けたことにより軟水器の機器を傷める高温水の進入を防ぐことができ、また、軟水の放出ラインから高温水が出ることを防ぐことにより、洗髪や入浴するのに安全で利便性が高い軟水器を提供することができる。
【００１９】
また、請求項３では軟水器の配管や機器内部の水が凍結しないように加熱装置を設けたことにより、冬場等に凍結により運転できなくなるのを防止することができる。
【００２０】
さらに、機器の全高が低く、機器全体がコンパクトであるから、機器全体を加熱装置により効率よく加熱することができるため凍結防止の効果が得られやすい。
【発明を実施するための最良の形態】
【００２１】
以下、本発明の一実施例を図１、図２を参照して説明する。
【００２２】
図において、１は樹脂室で、水密構造の筒体状をしており、内部には室容積に対して８０％程度イオン交換樹脂１３が入っている。
【００２３】
２は再生室で、容器２５と蓋４とパッキン２４から構成され、蓋４には吸気バルブ１８が設けられている。そして、容器２５は流入する水の圧力で水が漏れないように、パッキン２４と蓋４によって水密に閉じることができる。また、再生室２の蓋４に設けられた吸気バルブ１８は、外部から空気を吸気するが排出しない逆止弁構造を成している。また、再生室２の上部には再生ライン９が、底部には再生ラインＡ９ａが接続されている。そして、この再生室２は前記樹脂室１と平行か又は下方の位置に設けてあるので、樹脂室１と再生室２を含めた全高は低いものとなっている。
【００２４】
１４はリフレッシュ材で塩等よりなり、必要に応じて再生室２の蓋４を開けて容器２５内に投入されるものであり、前記イオン交換樹脂１３を再生するためのものである。
【００２５】
１６は原水供給コックであり、原水軟水化バルブ６と、再生バルブ１０と、洗浄バルブ１９から構成されていて、止水栓（図示せず）からの原水を受け、原水軟水化ライン５と、再生ライン９と、洗浄ライン２０とに水流を切り替えるものである。そして、この原水供給コック１６は、全閉、原水軟水化バルブ６のみ開、再生バルブ１０のみ開、洗浄バルブ１９のみ開の動作を行うことにより、原水軟水化ライン５と、再生ライン９と、洗浄ライン２０とに水流を切り替えることができるものである。
【００２６】
前記原水軟水化ライン５は、樹脂室１の下部と原水供給コック１６の原水軟水化バルブ６間を接続するものである。
【００２７】
また、原水軟水化バルブ６と、再生バルブ１０と、洗浄バルブ１９はそれぞれ適当な圧力で原水を通過せしめるように原水の圧力を適切に弱めることができるものである。
【００２８】
２１は噴出ポンプで、内部にはノズル２２とデフューザ２３と吸引口３１が設けてある。そして、ノズル２２側には洗浄バルブ１９に接続する洗浄ライン２０が、デフューザ２３側には樹脂室１の上部に接続する洗浄ラインＡ２０ａが、吸引口３１側には再生室２の下部に接続する再生ラインＡ９ａが夫々接続されている。
【００２９】
１７は放出コックであり、軟水バルブ７と、排水バルブ１２から構成されていて、樹脂室１の上部に接続した軟水ライン１５と、樹脂室１の下部に接続した排水ライン１１と、放出ライン８が接続されている。そして、この放出コック１７は、全閉、軟水バルブ７のみ開、排水バルブ１２のみ開の動作を行うことができ、軟水ライン１５からの軟水を放出ライン８に流したり、排水ライン１１からの排水を放出ライン８に流したりすることができるものである。
【００３０】
２６は水中ヒータで、樹脂室１内の水を加熱し放出ライン８から放出する軟水の温度が洗髪や入浴時の適温である４０℃前後の温度で３５℃から５０℃の範囲内の温度になるように加熱するものである。３４は温度センサーで、樹脂室１内の水温を検知している。
【００３１】
３３は温度制御装置で、樹脂室１内の水温を検知している温度センサー３４の検知温度から水中ヒータ２６の加熱を制御して樹脂室１内の水温が一定になるように加熱しているものである。
【００３２】
３０、２９は温水サーモスタットで、６０℃以上の温水が流れてきたとき、温水の通過を阻止することができるもので、原水供給コック１６の上流側の原水軟水化ライン５と、再生ライン９と、洗浄ライン２０に原水を供給する最上流点と、軟水ライン１５の夫々に設けてあり、高温の温水が機器に流入し機器を傷めることを防止するとともに、高温の温水が放出ライン８から流出しないようにしているものである。
【００３３】
２８は加熱装置で、軟水器の機器内部に設けてあり、樹脂室１と、再生室２と、噴射ポンプ２１と、洗浄ライン２０、洗浄ラインＡ２０ａと、再生ライン９、再生ラインＡ９ａと、原水軟化ライン５と、軟水ライン１５と、排水ライン１１の夫々の内部の水が凍結しないように機器内部全体を加熱しているもので、軟水器の設置環境の温度が低くなり機器内の水が凍結の恐れがあるとき、加熱装置２８内の制御回路が動作して加熱装置２８の通電を行い機器内の水の凍結を防ぐことができるものである。
【００３４】
つぎに、前記構成の軟水器の作用について説明する。
【００３５】
まず、原水を軟水化するには、放出コック１７の軟水バルブ７を開き、次に原水供給コック１６の原水軟水化バルブ６を開ける、そうすると、原水は１０リットル／分程度の流量で原水軟水化ライン５を通って樹脂室１の下方から樹脂室１内に入り、イオン交換樹脂１３を上に舞い上げながらカルシウム、マグネシウムをナトリウムに置換し、置換された原水は軟水化して樹脂室１の上部から軟水ライン１５を通り、放出コック１７の軟水バルブ７を経て放出ライン８から放出される。
【００３６】
そして、このとき、原水軟水化バルブ６は減圧弁の機能を有していて、原水の圧力を適度の圧力に変えて樹脂室１に送るようにしている。
【００３７】
そして、軟水の放出を止めるには、軟水バルブ７または原水軟水化バルブ６を閉じれば軟水の放出は止まるが、通常はこの両方のバルブ６、７を閉じて軟水の放出を止める。
【００３８】
そして、放出ライン８から放出される軟水を散髪や入浴に使用する場合は適温である４０℃前後の温度にするため、水中ヒータ２６を温度制御装置で温度制御して加熱することで適温の軟水が得られるようにしている。
【００３９】
また、このとき軟水ライン１５に設けられた温水サーモスタット２９により火傷の恐れがあるような高温の温水が放出されないようにして安全性を確保している。
【００４０】
また、外部に設けたボイラー等の温水を原水供給コック１６に供給して、軟水化して洗髪や入浴に使用する場合、高温の温水が流れ込んで機器を傷めることを防ぐため温水サーモスタット３０により高温水の侵入を防いでいる。
【００４１】
つぎに、イオン交換樹脂１３を再生する場合は、排水バルブ１２を開き、続いて、再生ライン９の再生バルブ１０を開くと、低い圧力の１リットル／分程度の流量で再生ライン９を通り再生室２の上部から内部に原水が流れ込み、内部のリフレッシュ剤１４の塩が溶けた塩水が再生室２の下部から再生ラインＡ９ａと、噴射ポンプ２１と、洗浄ラインＡ２０ａを通り樹脂室１に移動を開始する。
【００４２】
そして、このとき、再生バルブ１０は減圧弁の機能を有しており、原水の圧力を適度の圧力に変えて樹脂室１に送るようにしている。
【００４３】
樹脂室１に入った塩水はイオン交換樹脂１３の再生を行い、樹脂室１の下方から排水ライン１１を通り、排水バルブ１２を通過して放出ライン８から放出される。このとき、樹脂室１内の水の流れを軟水作製時の原水の流れ方向とは逆にすることにより、軟水作製時にたまった不純物を取り除き易くして、循環系の清掃性を向上するようにしている。
【００４４】
また、このとき、再生用の原水の圧力を減圧して水の移動をゆっくりと行うことによりイオン交換樹脂１３の再生率を向上させている。そして、この作業はイオン交換樹脂１３の量に応じた時間で終了するようにしている。
【００４５】
つぎに、再生作業終了時にイオン交換樹脂１３に付着した余分な塩水や、排水ライン１１、排水バルブ１２、放出ライン８などに残った塩分を除去するために、洗浄作業を行う。
【００４６】
洗浄作業は再生バルブ１０を閉じ、洗浄バルブ１９を開き、１５リットル／分程度の大きな流量の原水を噴射ポンプ２１を経て樹脂室１に流入させ、イオン交換樹脂１３に付着した余分な塩水やゴミを洗い流し、さらに、排水ライン１１、排水バルブ１２、放出ライン８も洗浄しつつ放出ライン８から放出する。そして、この洗浄作業の時間は機器の構成によって異なる時間で終了するようにしている。
【００４７】
また、このとき、噴出ポンプ２１が作用し、噴出ポンプ２１を通過するときに原水はノズル２２で加速しデフューザ２３で減速される為、両者の間に挿入された吸引口３１はエジェクター効果により減圧され、この吸引口３１に再生ラインＡ９ａを通して接続された再生室２は負圧となり、吸気バルブ１８が負圧分だけ空気を吸いこみ、時間の経過と共に再生室２内の塩水が樹脂室１に原水とともに送り込まれ、ついには再生室２内の塩水が無くなり空気で満たされるようになる。その後、原水供給コック１６を全て閉じ、続いて放出コック１７も全て閉じて終了する。
【００４８】
つぎに、次回のイオン交換樹脂１３を再生するためのリフレッシュ剤１４を、再生室２の蓋４を開けてリフレッシュ剤投入口３から投入し、蓋４を閉めて終了する。
【００４９】
このように、樹脂室１内に水中ヒータ２６を設け、内部の水温を３５℃から５０℃の範囲内で一定となるように温度制御したことにより、洗髪や入浴するのに適した適温の温水を放出することができる。
【００５０】
また、再生ライン９と洗浄ライン２０との間にノズル２２とデフューザ２３と吸引口３１よりなる噴射ポンプ２１を設け、再生運転時に満水となっている再生室２内の塩水を洗浄時のエジェクター効果により排出するように構成したことにより、再生室２を樹脂室１より低い位置に設置することができ、機器の全高を低くでき、機器全体をコンパクトにすることができるから、軟水を水中ヒータ２６により効率よく加熱することができる。
【００５１】
また、原水軟水化ライン５、再生ライン９、洗浄ライン２０に原水を供給する最上流点と、軟水ライン１５の夫々に６０℃以上の温水の通過を阻止する温水サーモスタット３０、２９を設けたことにより軟水器の機器を傷める高温水の進入を防ぐことができ、また、軟水の放出ライン８から高温水が出ることを防ぐことにより、洗髪や入浴するのに安全で利便性が高い軟水器を提供することができる。
【００５２】
また、軟水器の配管や機器内部の水が凍結しないように加熱装置２８を設けたことにより、冬場等に凍結により運転できなくなるのを防止することができる。
【００５３】
さらに、機器の全高が低く、機器全体がコンパクトであるから、機器全体を加熱装置２８により効率よく加熱することができるため凍結防止の効果が得られやすい。
【図面の簡単な説明】
【００５４】
【図１】本発明の一実施例を示す軟水器の概略説明図である。
【図２】同じく再生室と噴射ポンプの要部断面図である。
【図３】従来例を示す軟水器の概略説明図である。
【符号の説明】
【００５５】
１  樹脂室
２  再生室
５  原水軟水化ライン
５ａ  原水軟水化ライン
９  再生ライン
９ａ  再生ラインＡ
１１  排水ライン
１５  軟水ライン
１８  吸気バルブ
２０  洗浄ライン
２０ａ  洗浄ラインＡ
２１  噴射ポンプ
２２  ノズル
２３  デフューザ
２６  水中ヒータ
２８  加熱装置
２９、３０  温水サーモスタット
３１  吸引口
【図１】
2005052749.tif 000003
【図２】
2005052749.tif 000004
【図３】
2005052749.tif 000005